(57)【特許請求の範囲】
【請求項１】
アンテナを有するラジオあるいは外部入力端子を有するオーディオ調節器を備えたオーディオ機器等の被測定物に試験信号を与えて測定を行なうオーディオ機器自動測定装置であって、
前記被測定物毎に、測定項目、測定条件及び規格、の組み合わせにかかる測定分類が予め対応づけられており、
前記測定分類を表示手段に表示させ、前記被測定物についてユーザにより指定された前記測定分類に対応する複数の試験条件を、所定のフォーマットで前記表示手段に表示させる表示制御手段と、
この表示制御手段によって表示させる複数の試験条件の中から前記被測定物に適合した試験条件の選択・設定を前記ユーザに指示させるための試験条件選択・設定指示手段と、
この試験条件選択・設定指示手段を介して前記ユーザによって選択・設定指示された試験条件を選択し、設定する選択設定手段と、
この選択設定手段によって設定された試験条件を基に試験データを生成する試験データ生成手段と、
入力された試験データを基に前記アンテナあるいは前記外部入力端子に入力する試験信号を生成し、前記アンテナあるいは前記外部入力端子を介して前記オーディオ機器に与える試験信号発生手段と、
前記試験データ生成手段を制御して試験データを生成させ、前記試験信号発生手段に所定の測定タイミングに合わせて送出する測定タイミング制御手段と、
を備えたことを特徴とするオーディオ機器自動測定装置。
【請求項２】
オーディオディスク再生装置を備えたオーディオ機器等の被測定物の測定を行なうオーディオ機器自動測定装置であって、
前記被測定物毎に、測定項目、測定条件及び規格、の組み合わせにかかる測定分類が予め対応づけられており、
前記測定分類を表示手段に表示させ、前記被測定物についてユーザにより指定された前記測定分類に対応する複数の試験条件を、所定のフォーマットで前記表示手段に表示させる表示制御手段と、
この表示制御手段によって表示させる複数の試験条件の中から前記被測定物に適合した試験条件の選択・設定を前記ユーザに指示させるための試験条件選択・設定指示手段と、
この試験条件選択・設定指示手段を介して前記ユーザによって選択・設定指示された試験条件を選択し、設定する選択設定手段と、を備え、
この選択設定手段によって設定された試験条件を基に前記オーディオディスク再生装置にテストディスクを再生させて、試験用オーディオ信号を試験信号として前記被測定物に与えて前記測定を行う、
ことを特徴とするオーディオ機器自動測定装置。
【請求項３】
前記複数の試験条件を前記表示手段に表示するための複数の選択設定画面又は一覧画面のフォーマットを保存記憶する保存記憶手段を有し、
前記表示制御手段は、前記保存記憶手段に記憶されている複数の選択設定画面又は一覧画面を所定の順序で前記表示手段に表示する、
ことを特徴とする請求項１又は請求項２記載のオーディオ機器自動測定装置。
【請求項４】
データベース及び通信制御手段を備えた管理装置と、
通信ネットワークと、
該通信ネットワークを介して前記管理装置との通信制御を行なう通信制御手段を備えた請求項１乃至３のいずれか１項に記載の複数のオーディオ機器自動測定装置と、を備えたネットワークシステムであって、
前記管理装置は前記複数のオーディオ機器自動測定装置から前記通信ネットワークを介して送信される測定結果及び／又はファイルを受信して前記データベースに記録し、前記複数のオーディオ機器自動測定装置は、それぞれ、前記データベースに記録されている所望の測定結果又はファイルを所望のタイミングで閲覧又はダウンロード可能であることを特徴とするネットワークシステム。
【請求項５】
前記管理装置は前記データベースに記録した測定結果及びファイルの一覧情報を作成・更新して前記データベースに記録し、前記オーディオ機器自動測定装置は前記一覧情報を閲覧して、閲覧又はダウンロードする測定結果又はファイルを選択することを特徴とする請求項４記載のネットワークシステム。
【請求項６】
更に、前記管理装置との通信制御を行なう通信制御手段を備えた複数の端末を備え、前記複数の端末は、それぞれ、前記データベースに記録されている所望の測定結果又はファイルを所望のタイミングで閲覧又はダウンロード可能であることを特徴とする請求項４又は５記載のネットワークシステム。
【請求項７】
アンテナを有するラジオあるいは外部入力端子を有するオーディオ調節器を備えたオーディオ機器等の被測定物に試験信号を与えて測定を行なう測定装置とデータ授受可能なコンピュータ装置として構成されたオーディオ機器自動測定用データ処理・制御装置であって、
前記被測定物毎に、測定項目、測定条件及び規格、の組み合わせにかかる測定分類が予め対応づけられており、
前記測定分類を表示する表示手段と、
前記被測定物について指定された前記測定分類に対応する試験条件を第１のフォーマットで前記表示手段に表示する第１の表示制御手段と、
この第１の表示制御手段によって前記表示手段に表示された複数の試験条件の中から前記オーディオ機器に適合した試験条件の選択・設定をユーザに指示させるための試験条件選択・設定指示手段と、
この試験条件選択・設定指示手段を介して前記ユーザによって選択・設定指示された試験条件を選択し、設定する選択設定手段と、
この選択設定手段によって設定された試験条件を基に試験データを生成する試験データ生成手段と、
入力された試験データを基に前記アンテナあるいは前記外部入力端子に入力する前記試験信号を生成し、前記アンテナあるいは前記外部入力端子を介して前記オーディオ機器に与える試験信号発生手段と、
を備えたことを特徴とするオーディオ機器自動測定用データ処理・制御装置。
【請求項８】
前記オーディオ機器の試験用初期値を前記測定分類ごとに登録した複数の条件ファイルと、
前記選択設定手段によって設定された試験条件に対応する試験用初期値を抽出する初期値抽出手段を備え、
前記試験データ生成手段は、この初期値抽出手段によって抽出された試験用初期値を基に前記試験データを生成することを特徴とする請求項７記載のオーディオ機器自動測定用データ処理・制御装置。
【請求項９】
更に、生成した前記試験データを前記試験信号発生手段に送出するタイミングを制御する測定タイミング制御手段を含むことを特徴とする請求項７又は８記載の自動測定用データ処理・制御装置。
【請求項１０】
第１の表示制御手段によって前記表示手段に表示された複数の試験条件は、複数の測定項目と、前記測定項目について設定された複数の試験項目と、によって定まる試験条件からなり、前記試験条件選択・設定指示手段は、前記ユーザに複数の測定項目の中から今回測定する測定項目を選択設定させるための第１の選択設定手段と、
当該ユーザにこの第１の選択設定手段によって選択させた測定項目の試験項目の中から今回測定する試験項目を選択して設定させるための第２の選択設定手段を含むことを特徴とする請求項７乃至９のいずれか１項に記載のオーディオ機器自動測定用データ処理・制御装置。
【請求項１１】
前記被測定物の測定条件を分類した測定分類情報を第２のフォーマットで前記表示手段に表示する第２の表示制御手段と、この第２の表示制御手段によって表示された測定分類情報の中から前記被測定物の測定分類を前記ユーザに指定させるための測定分類指定手段を備えたことを特徴とする請求項７乃至１０のいずれか１項に記載のオーディオ機器自動測定用データ処理・制御装置。
【請求項１２】
前記指定された測定分類に対応する試験用初期値を登録した条件ファイルを検索する条件ファイル検索手段と、この条件ファイル検索手段に検索指示を与える検索指示手段を備え、前記第１の表示制御手段は、この検索指示手段によって前記条件ファイル検索手段に検索指示が与えられたとき該検索手段による条件ファイルの検索結果を第３のフォーマットで前記表示手段に表示する第３の表示制御手段を含むことを特徴とする請求項７乃至１０のいずれか１項に記載のオーディオ機器自動測定用データ処理・制御装置。
【請求項１３】
測定状態を第４のフォーマットで前記表示手段に表示する第４の表示制御手段を含むことを特徴とする請求項７乃至１０のいずれか１項に記載のオーディオ機器自動測定用データ処理・制御装置。
【請求項１４】
前記第１の表示制御手段によって前記表示手段に表示された試験条件の初期値を設定変更する指示を行なう設定値変更指示手段を備えたことを特徴とする請求項７乃至１０のいずれか１項に記載のオーディオ機器自動測定用データ処理・制御装置。
【請求項１５】
前記設定値変更指示手段による指示が行なわれたとき、試験条件の初期値の設定変更手段を第５のフォーマットで前記表示手段に表示する第５の表示制御手段を備えたことを特徴とする請求項１４記載のオーディオ機器自動測定用データ処理・制御装置。
【請求項１６】
前記設定値変更指示手段による指示が行なわれたとき、規格値の設定変更手段を第６のフォーマットで前記表示手段に表示する第６の表示制御手段を備えたことを特徴とする請求項１４記載の自動測定用データ処理・制御装置。
【請求項１７】
前記設定値変更指示手段による指示が行なわれたとき、測定条件の初期値の設定変更手段を第７のフォーマットで前記表示手段に表示する第７の表示制御手段を備えたことを特徴とする請求項１４記載のオーディオ機器自動測定用データ処理・制御装置。
【請求項１８】
前記設定値変更指示手段による指示が行なわれたとき、試験条件の初期値、規格値及び測定条件の初期値以外の設定値の設定変更手段を第８のフォーマットで前記表示手段に表示する第８の表示制御手段を備えたことを特徴とする請求項１４記載のオーディオ機器自動測定用データ処理・制御装置。
【請求項１９】
前記条件ファイルを保存記憶する保存記憶手段を備え、前記試験条件の初期値、規格値及び測定条件の初期値以外の設定値の全部又は１部が変更されたとき、変更された値と前記条件ファイルに登録された各初期値を基にして前記条件ファイルとは別に新たに条件ファイルを生成する変更条件ファイル生成手段と、この条件ファイル生成手段によって生成された新たな条件ファイルを前記保存記憶手段に保存記憶する記憶制御手段と、を備えたことを特徴とする請求項７乃至１８のいずれか１項に記載のオーディオ機器自動測定用データ処理・制御装置。
【請求項２０】
前記条件ファイルを保存記憶する保存記憶手段を備え、試験条件の初期値、規格値及び測定条件の初期値以外の設定値を入力設定して新たな条件ファイルを生成するマスター条件ファイル生成手段と、このマスター条件ファイル生成手段によって生成された新たな条件ファイルをマスター条件ファイルとして前記保存記憶手段に保存記憶する記憶制御手段と、を備えたことを特徴とする請求項７乃至１８のいずれか１項に記載のオーディオ機器自動測定用データ処理・制御装置。
【請求項２１】
アンテナを有するラジオあるいは外部入力端子を有するオーディオ調節器を備えたオーディオ機器等の被測定物に前記アンテナあるいは前記外部入力端子を介して試験信号発生手段から試験信号を与えて測定を行なう測定装置とデータ授受可能なコンピュータ装置として構成されたオーディオ機器自動測定用データ処理・制御装置であって、
前記被測定物毎に、測定項目、測定条件及び規格、の組み合わせにかかる測定分類が予め対応づけられており、
それぞれ所定のフォーマットで表される複数の選択設定画面又は一覧画面を表示する表示手段と、
前記表示手段に表示された前記測定分類に基づいて前記被測定物についてユーザにより指定された前記測定分類に対応する複数の試験条件を所定のフォーマットで表示させる表示制御手段と、
前記複数のフォーマットを保存記憶する第１の保存記憶手段と、
前記複数の選択設定画面又は一覧画面を所定の順序で前記表示部に表示する第１の表示制御手段と、
前記第１の表示制御手段によって前記表示手段に表示される選択設定画面から前記被測定物測定するための条件を選択設定する選択設定手段と、
この選択設定手段によって選択設定された試験用初期値を基に試験データを生成する試験データ生成手段と、
この試験データ生成手段によって生成された試験データを前記試験信号発生手段に入力する測定タイミング制御手段と、
を備えたことを特徴とするオーディオ機器自動測定用データ処理・制御装置。
【請求項２２】
前記オーディオ機器の試験用初期値を測定分類ごとに登録した複数の条件ファイルと、
上記条件ファイルを保存記憶する第２の保存記憶手段と、
前記第１の表示制御手段によって前記表示手段に表示される選択設定画面又は一覧画面に前記条件ファイルに係わる情報を表示する第２の表示制御手段と、
前記選択設定手段によって設定された試験条件に対応する試験用初期値を抽出する初期値抽出手段と、を備え、
前記試験データ生成手段は、前記初期値抽出手段によって抽出された試験用初期値を基に試験データを生成することを特徴とする請求項２１記載のオーディオ機器自動測定用データ処理・制御装置。
【請求項２３】
前記複数の選択設定画面は条件ファイルに登録された試験用初期値を変更する試験用初期値変更画面を含み、前記表示制御手段によって試験用初期値変更画面が前記表示手段に表示されたとき、試験用初期値の変更設定を行なう変更値入力手段と、この設定変更値入力手段によって試験用初期値の変更設定が行なわれたとき、新たな条件ファイルを生成する変更条件ファイル生成手段と、この変更条件ファイル生成手段によって生成された変更条件ファイルを前記第２の保存記憶手段に保存記憶する記憶制御手段と、を備えたことを特徴とする請求項２２記載のオーディオ機器自動測定用データ処理・制御装置。
【請求項２４】
アンテナを有するラジオあるいは外部入力端子を有するオーディオ調節器を備えたオーディオ機器等の被測定物に前記アンテナあるいは前記外部入力端子を介して試験信号発生手段から試験信号を与えて測定を行なう自動測定装置において、前記試験信号生成用の試験データの生成及び生成された試験データの出力タイミングを制御するためのオーディオ機器自動測定処理・制御用プログラムの記録媒体であって、
前記被測定物毎に、測定項目、測定条件及び規格、の組み合わせにかかる測定分類が予め対応づけられており、
あるオーディオ機器について前記測定分類を表示手段に表示し、前記被測定物についてユーザにより指定された前記測定分類に対応する試験条件を所定のフォーマットで表示し、表示された複数の試験条件の中から前記被測定物に適合した試験条件の選択・設定がユーザにより指示されたときに、この設定された試験条件を基に試験条件の初期値を登録した条件ファイルから前記試験条件に対応する試験用初期値を抽出して試験データを生成し、この生成された試験データを前記試験信号発生手段に送出するタイミングを制御する、ように構成したオーディオ機器自動測定処理・制御用プログラムを記録したことを特徴とする記録媒体。
【請求項２５】
アンテナを有するラジオあるいは外部入力端子を有するオーディオ調節器を備えたオーディオ機器に前記アンテナあるいは前記外部入力端子を介して試験信号発生手段から試験信号を与えて測定を行なう自動測定装置において、前記試験信号生成用の試験データの生成及び生成された試験データの出力タイミングを制御するためのオーディオ機器自動測定処理・制御用プログラムの記録媒体であって、
前記被測定物毎に、測定項目、測定条件及び規格、の組み合わせにかかる測定分類が予め対応づけられており、
前記測定分類を前記表示手段に表示してユーザに指定させ、
複数の選択設定画面又は一覧画面を所定の順序で前記表示手段に、前記ユーザにより指定された測定分類に対応する複数の試験条件を所定のフォーマットで表示し、指定により、選択設定画面を表示すると共に前記オーディオ機器の試験条件を表示し、上記選択設定画面から前記被測定物を測定するための条件の選択・設定がユーザにより指示されたときに、該選択・設定された条件に対応する試験用初期値をオーディオ機器の試験用初期値を測定分類毎に登録した複数の条件ファイルから抽出して試験データを生成し、この生成された試験データを前記試験信号発生手段に送出するタイミングを制御する、ように構成したオーディオ機器自動測定処理・制御用プログラムを記録したことを特徴とする記録媒体。
【発明の詳細な説明】
【０００１】
【発明の属する技術分野】
本発明はオーディオ機器等の電子機器の自動測定技術及び自動測定に係わる試験データの設定技術に関する。
【０００２】
【従来の技術】
従来、車載用オーディオ機器等の電子機器（以下、被測定物）の性能検査を行なうための自動測定装置が提案されており、製造ラインでの性能検査や開発過程での試作試験や品質検査等に用いられている。
自動測定装置は被測定物の種類が多様であり被測定物の種類によって測定項目や測定条件等が異なるので、種類ごとに自動測定装置を構成することは不経済であり、検査の自動化、省力化にそむくことになるのでさまざまな改善がなされている（例えば、▲１▼複数の測定機能と信号線を一体化することにより多目的な測定要素に対応可能に構成したり、▲２▼従来、出荷前の最終動作検査時に手動操作で行なわれていた複数の検査条件設定の手間を改善するため、オーディオ機器に内蔵された制御マイコンのＲＯＭに予め書き込んでおき、所定のボタン操作により電子ボリューム及び表示パネルの検査条件設定を自動的に設定するようにしたものがある）。
【０００３】
また、近年、電子機器はオーディオ機器のように多彩な機能を備えた多機能、高級機器が一般化の傾向にあり、これらの電子機器は単体製品として最終消費者に販売される場合もあるが、車載オーディオ機器の場合のようにＯＥＭ製品として出荷される場合には、同一機種であっても納入先メーカや仕向地等によって測定項目、測定条件及び規格が異なる場合が多い。
【０００４】
【発明が解決しようとする課題】
開発段階や品質保証検査段階（及びラインでの抜き取り検査段階）では、従来、被測定物を測定するため自動測定装置への測定項目、測定条件及び規格の設定は従来手作業で設定されており、手間がかかると共に間違えやすいといった問題点があった（上記従来例▲２▼では検査条件を被測定物（オーディオ機器）のＲＯＭに予め書き込む構成のため、納入先や仕向地が追加されたり変更された場合に対応できないという点と、開発段階で検査条件が確定していない場合に対応できない）。
【０００５】
また、従来、自動測定装置の入力項目及び出力項目（測定値及び判定結果）は表示パネルに表示されたり、判定結果が「否」の場合に警報や警告ランプで報知する構成のため、納入先メーカや仕向地等によって測定項目、測定条件及び規格が異なる場合にはその入力項目（納入先や仕向地等によって異なる測定項目、測定条件及び規格等）に対応する測定値及び判定結果を分かりやすいように表示したり全体的な評価を下すための統計的な評価を行なうことが困難であるといった問題点があった。
【０００６】
また、オーディオ機器等の電子機器メーカーで、研究所（開発・設計部門）、製造工場、が別の場所にあったり、海外の現地法人があるような場合に、従来、研究所、工場、海外現地法人等で個別に行なわれていた測定の結果（測定データ）を、例えば、研究所をサーバーとして、工場、海外現地法人を通信ネットワーク（例えば、インターネット）を介して一元管理し、共用できるようにすれば、開発・設計、製造、販売等にそれぞれ寄与することが期待できる。
【０００７】
本発明は上記問題点や不都合を解消するためになされたものであり、被測定物に対し測定項目、測定条件及び規格等が異なる多様な測定を簡単な操作で行なうことができる、電子機器の自動測定装置、自動測定用データ処理・制御装置の提供を目的とする。また、本発明はメーカーの研究所、工場、海外拠点等で上記自動測定値による測定結果を共用し得るネットワークシステムの提供を目的とする。
【０００８】
【課題を解決するための手段】
上記課題を解決するために、第１の発明のオーディオ機器自動測定装置は、アンテナを有するラジオあるいは外部入力端子を有するオーディオ調節器を備えたオーディオ機器等の被測定物に試験信号を与えて測定を行なうオーディオ機器自動測定装置であって、前記被測定物毎に、測定項目、測定条件及び規格、の組み合わせにかかる測定分類が予め対応づけられており、前記測定分類を表示手段に表示させ、前記被測定物についてユーザにより指定された前記測定分類に対応する複数の試験条件を、所定のフォーマットで前記表示手段に表示させる表示制御手段と、この表示制御手段によって表示させる複数の試験条件の中から前記被測定物に適合した試験条件の選択・設定を前記ユーザに指示させるための試験条件選択・設定指示手段と、この試験条件選択・設定指示手段を介して前記ユーザによって選択・設定指示された試験条件を選択し、設定する選択設定手段と、この選択設定手段によって設定された試験条件を基に試験データを生成する試験データ生成手段と、入力された試験データを基に前記アンテナあるいは前記外部入力端子に入力する試験信号を生成し、前記アンテナあるいは前記外部入力端子を介して前記オーディオ機器に与える試験信号発生手段と、前記試験データ生成手段を制御して試験データを生成させ、前記試験信号発生手段に所定の測定タイミングに合わせて送出する測定タイミング制御手段と、を備えたことを特徴とする。
【０００９】
また、第２の発明のオーディオ機器自動測定装置は、オーディオディスク再生装置を備えたオーディオ機器等の被測定物の測定を行なうオーディオ機器自動測定装置であって、前記被測定物毎に、測定項目、測定条件及び規格、の組み合わせにかかる測定分類が予め対応づけられており、前記測定分類を表示手段に表示させ、前記被測定物についてユーザにより指定された前記測定分類に対応する複数の試験条件を、所定のフォーマットで前記表示手段に表示させる表示制御手段と、この表示制御手段によって表示させる複数の試験条件の中から前記被測定物に適合した試験条件の選択・設定を前記ユーザに指示させるための試験条件選択・設定指示手段と、この試験条件選択・設定指示手段を介して前記ユーザによって選択・設定指示された試験条件を選択し、設定する選択設定手段と、を備え、この選択設定手段によって設定された試験条件を基に前記オーディオディスク再生装置にテストディスクを再生させて、試験用オーディオ信号を前記被測定物に与えて前記測定を行う、ことを特徴とする。
【００１０】
また、第３の発明は、上記第１または第２の発明のオーディオ機器自動測定装置において、前記複数の試験条件を前記表示手段に表示するための複数の選択設定画面又は一覧画面のフォーマットを保存記憶する保存記憶手段を有し、前記表示制御手段は、前記保存記憶手段に記憶されている複数の選択設定画面又は一覧画面を所定の順序で前記表示手段に表示する、ことを特徴とする。
【００１１】
また、第４のネットワークシステムは、データベース及び通信制御手段を備えた管理装置と、通信ネットワークと、該通信ネットワークを介して前記管理装置との通信制御を行なう通信制御手段を備えた第１乃至第３のいずれかに記載の複数のオーディオ機器自動測定装置と、を備えたネットワークシステムであって、前記管理装置は前記複数のオーディオ機器自動測定装置から前記通信ネットワークを介して送信される測定結果及び／又はファイルを受信して前記データベースに記録し、前記複数のオーディオ機器自動測定装置は、それぞれ、前記データベースに記録されている所望の測定結果又はファイルを所望のタイミングで閲覧又はダウンロード可能であることを特徴とする。
また、第５の発明は、上記第４の発明のネットワークシステムにおいて、前記管理装置は前記データベースに記録した測定結果及びファイルの一覧情報を作成・更新して前記データベースに記録し、前記オーディオ機器自動測定装置は前記一覧情報を閲覧して、閲覧又はダウンロードする測定結果又はファイルを選択することを特徴とする。
また、第６の発明は、上記第４または第５の発明のネットワークシステムにおいて、更に、前記管理装置との通信制御を行なう通信制御手段を備えた複数の端末を備え、前記複数の端末は、それぞれ、前記データベースに記録されている所望の測定結果又はファイルを所望のタイミングで閲覧又はダウンロード可能であることを特徴とする。
【００１２】
また、第７の発明のオーディオ機器自動測定用データ処理・制御装置は、アンテナを有するラジオあるいは外部入力端子を有するオーディオ調節器を備えたオーディオ機器等の被測定物に試験信号を与えて測定を行なう測定装置とデータ授受可能なコンピュータ装置として構成されたオーディオ機器自動測定用データ処理・制御装置であって、前記被測定物毎に、測定項目、測定条件及び規格、の組み合わせにかかる測定分類が予め対応づけられており、前記測定分類を表示する表示手段と、前記被測定物について指定された前記測定分類に対応する試験条件を第１のフォーマットで前記表示手段に表示する第１の表示制御手段と、この第１の表示制御手段によって前記表示手段に表示された複数の試験条件の中から前記オーディオ機器に適合した試験条件の選択・設定をユーザに指示させるための試験条件選択・設定指示手段と、この試験条件選択・設定指示手段を介して前記ユーザによって選択・設定指示された試験条件を選択し、設定する選択設定手段と、
この選択設定手段によって設定された試験条件を基に試験データを生成する試験データ生成手段と、入力された試験データを基に前記アンテナあるいは前記外部入力端子に入力する前記試験信号を生成し、前記アンテナあるいは前記外部入力端子を介して前記オーディオ機器に与える試験信号発生手段と、を備えたことを特徴とする。
【００１３】
また、第８の発明のオーディオ機器自動測定用データ処理・制御装置は、第７の発明のオーディオ機器自動測定用データ処理・制御装置において、前記オーディオ機器の試験用初期値を前記測定分類ごとに登録した複数の条件ファイルと、前記選択設定手段によって設定された試験条件に対応する試験用初期値を抽出する初期値抽出手段を備え、前記試験データ生成手段は、この初期値抽出手段によって抽出された試験用初期値を基に前記試験データを生成することを特徴とする。
【００１４】
第９の発明は、上記第７又は８の発明のオーディオ機器自動測定用データ処理・制御装置において、更に、生成した前記試験データを前記試験信号発生手段に送出するタイミングを制御する測定タイミング制御手段を含むことを特徴とする。
【００１５】
また第１０の発明は、上記第７乃至９のいずれかの発明のオーディオ機器自動測定用データ処理・制御装置において、第１の表示制御手段によって前記表示手段に表示された複数の試験条件は、複数の測定項目と、前記測定項目について設定された複数の試験項目と、によって定まる試験条件からなり、前記試験条件選択・設定指示手段は、前記ユーザに複数の測定項目の中から今回測定する測定項目を選択設定させるための第１の選択設定手段と、当該ユーザにこの第１の選択設定手段によって選択させた測定項目の試験項目の中から今回測定する試験項目を選択して設定させるための第２の選択設定手段を含むことを特徴とする。
【００１６】
また、第１１の発明は、上記第７ないし第１０のいずれかの発明の前記被測定物の測定条件を分類した測定分類情報を第２のフォーマットで前記表示手段に表示する第２の表示制御手段と、この第２の表示制御手段によって表示された測定分類情報の中から前記被測定物の測定分類を前記ユーザに指定させるための測定分類指定手段を備えたことを特徴とする。
【００１７】
また、第１２の発明は、上記７乃至１０のいずれかの発明のオーディオ機器自動測定用データ処理・制御装置において、前記指定された測定分類に対応する試験用初期値を登録した条件ファイルを検索する条件ファイル検索手段と、この条件ファイル検索手段に検索指示を与える検索指示手段を備え、前記第１の表示制御手段は、この検索指示手段によって前記条件ファイル検索手段に検索指示が与えられたとき該検索手段による条件ファイルの検索結果を第３のフォーマットで前記表示手段に表示する第３の表示制御手段を含むことを特徴とする。
【００１８】
また、第１３の発明は、上記７乃至１０のいずれかの発明のオーディオ機器自動測定用データ処理・制御装置において、測定状態を第４のフォーマットで前記表示手段に表示する第４の表示制御手段を含むことを特徴とする。
【００１９】
また、第１４の発明は、上記７乃至１０のいずれかの発明のオーディオ機器自動測定用データ処理・制御装置において、前記第１の表示制御手段によって前記表示手段に表示された試験条件の初期値を設定変更する指示を行なう設定値変更指示手段を備えたことを特徴とする。
【００２０】
また、第１５の発明は、第１４の発明のオーディオ機器自動測定用データ処理・制御装置において、前記設定値変更指示手段による指示が行なわれたとき、試験条件の初期値の設定変更手段を第５のフォーマットで前記表示手段に表示する第５の表示制御手段を備えたことを特徴とする。
【００２１】
また、第１６の発明は、第１４の発明のオーディオ機器自動測定用データ処理・制御装置において、前記設定値変更指示手段による指示が行なわれたとき、規格値の設定変更手段を第６のフォーマットで前記表示手段に表示する第６の表示制御手段を備えたことを特徴とする。
【００２２】
また、第１７の発明は、第１４の発明のオーディオ機器自動測定用データ処理・制御装置において、前記設定値変更指示手段による指示が行なわれたとき、測定条件の初期値の設定変更手段を第７のフォーマットで前記表示手段に表示する第７の表示制御手段を備えたことを特徴とする。
【００２３】
また、第１８の発明は、第１４の発明のオーディオ機器自動測定用データ処理・制御装置において、前記設定値変更指示手段による指示が行なわれたとき、試験条件の初期値、規格値及び測定条件の初期値以外の設定値の設定変更手段を第８のフォーマットで前記表示手段に表示する第８の表示制御手段を備えたことを特徴とする。
また、第１９の発明は、上記第７ないし第１８のいずれかの発明のオーディオ機器自動測定用データ処理・制御装置において、前記条件ファイルを保存記憶する保存記憶手段を備え、前記試験条件の初期値、規格値及び測定条件の初期値以外の設定値の全部又は１部が変更されたとき、変更された値と前記条件ファイルに登録された各初期値を基にして前記条件ファイルとは別に新たに条件ファイルを生成する変更条件ファイル生成手段と、この条件ファイル生成手段によって生成された新たな条件ファイルを前記保存記憶手段に保存記憶する記憶制御手段と、を備えたことを特徴とする。
【００２４】
また、第２０の発明は、上記第７ないし第１８のいずれかの発明のオーディオ機器自動測定用データ処理・制御装置において、前記条件ファイルを保存記憶する保存記憶手段を備え、試験条件の初期値、規格値及び測定条件の初期値以外の設定値を入力設定して新たな条件ファイルを生成するマスター条件ファイル生成手段と、このマスター条件ファイル生成手段によって生成された新たな条件ファイルをマスター条件ファイルとして前記保存記憶手段に保存記憶する記憶制御手段と、を備えたことを特徴とする。
【００２５】
また、第２１の発明のオーディオ機器自動測定用データ処理・制御装置は、アンテナを有するラジオあるいは外部入力端子を有するオーディオ調節器を備えたオーディオ機器等の被測定物に前記アンテナあるいは前記外部入力端子を介して試験信号発生手段から試験信号を与えて測定を行なう測定装置とデータ授受可能なコンピュータ装置として構成されたオーディオ機器自動測定用データ処理・制御装置であって、前記被測定物毎に、測定項目、測定条件及び規格、の組み合わせにかかる測定分類が予め対応づけられており、
それぞれ所定のフォーマットで表される複数の選択設定画面又は一覧画面を表示する表示手段と、前記表示手段に表示された前記測定分類に基づいて前記被測定物についてユーザにより指定された前記測定分類に対応する複数の試験条件を所定のフォーマットで表示させる表示制御手段と、前記複数のフォーマットを保存記憶する第１の保存記憶手段と、前記複数の選択設定画面又は一覧画面を所定の順序で前記表示部に表示する第１の表示制御手段と、前記第１の表示制御手段によって前記表示手段に表示される選択設定画面から前記被測定物測定するための条件を選択設定する選択設定手段と、この選択設定手段によって選択設定された試験用初期値を基に試験データを生成する試験データ生成手段と、
この試験データ生成手段によって生成された試験データを前記試験信号発生手段に入力する測定タイミング制御手段と、を備えたことを特徴とする。
【００２６】
また、第２２の発明のオーディオ機器自動測定用データ処理・制御装置は、上記第２１の発明のオーディオ機器自動測定用データ処理・制御装置において、前記オーディオ機器の試験用初期値を測定分類ごとに登録した複数の条件ファイルと、上記条件ファイルを保存記憶する第２の保存記憶手段と、前記第１の表示制御手段によって前記表示手段に表示される選択設定画面又は一覧画面に前記条件ファイルに係わる情報を表示する第２の表示制御手段と、前記選択設定手段によって設定された試験条件に対応する試験用初期値を抽出する初期値抽出手段と、を備え、前記試験データ生成手段は、前記初期値抽出手段によって抽出された試験用初期値を基に試験データを生成することを特徴とする。
【００２７】
また、第２３の発明は、上記第２２の発明のオーディオ機器自動測定用データ処理・制御装置において、前記複数の選択設定画面は条件ファイルに登録された試験用初期値を変更する試験用初期値変更画面を含み、前記表示制御手段によって試験用初期値変更画面が前記表示手段に表示されたとき、試験用初期値の変更設定を行なう変更値入力手段と、この設定変更値入力手段によって試験用初期値の変更設定が行なわれたとき、新たな条件ファイルを生成する変更条件ファイル生成手段と、この変更条件ファイル生成手段によって生成された変更条件ファイルを前記第２の保存記憶手段に保存記憶する記憶制御手段と、を備えたことを特徴とする。
また、第２４の発明は、アンテナを有するラジオあるいは外部入力端子を有するオーディオ調節器を備えたオーディオ機器等の被測定物に前記アンテナあるいは前記外部入力端子を介して試験信号発生手段から試験信号を与えて測定を行なう自動測定装置において、前記試験信号生成用の試験データの生成及び生成された試験データの出力タイミングを制御するためのオーディオ機器自動測定処理・制御用プログラムの記録媒体であって、前記被測定物毎に、測定項目、測定条件及び規格、の組み合わせにかかる測定分類が予め対応づけられており、あるオーディオ機器について前記測定分類を表示手段に表示し、前記被測定物についてユーザにより指定された前記測定分類に対応する試験条件を所定のフォーマットで表示し、表示された複数の試験条件の中から前記被測定物に適合した試験条件の選択・設定がユーザにより指示されたときに、この設定された試験条件を基に試験条件の初期値を登録した条件ファイルから前記試験条件に対応する試験用初期値を抽出して試験データを生成し、この生成された試験データを前記試験信号発生手段に送出するタイミングを制御する、ように構成したオーディオ機器自動測定処理・制御用プログラムを記録したことを特徴とする。
また、第２５の発明は、アンテナを有するラジオあるいは外部入力端子を有するオーディオ調節器を備えたオーディオ機器に前記アンテナあるいは前記外部入力端子を介して試験信号発生手段から試験信号を与えて測定を行なう自動測定装置において、前記試験信号生成用の試験データの生成及び生成された試験データの出力タイミングを制御するためのオーディオ機器自動測定処理・制御用プログラムの記録媒体であって、前記被測定物毎に、測定項目、測定条件及び規格、の組み合わせにかかる測定分類が予め対応づけられており、前記測定分類を前記表示手段に表示してユーザに指定させ、複数の選択設定画面又は一覧画面を所定の順序で前記表示手段に、前記ユーザにより指定された測定分類に対応する複数の試験条件を所定のフォーマットで表示し、指定により、選択設定画面を表示すると共に前記オーディオ機器の試験条件を表示し、上記選択設定画面から前記被測定物を測定するための条件の選択・設定がユーザにより指示されたときに、該選択・設定された条件に対応する試験用初期値をオーディオ機器の試験用初期値を測定分類毎に登録した複数の条件ファイルから抽出して試験データを生成し、この生成された試験データを前記試験信号発生手段に送出するタイミングを制御する、ように構成したオーディオ機器自動測定処理・制御用プログラムを記録したことを特徴とする。
【００２８】
【発明の実施の形態】
[自動測定装置のハードウエア構成例]
図１は本発明の自動測定装置の一実施例のハードウエア構成を示すブロック図であり、電子機器として車載オーディオ機器を測定する車載オーディオ自動測定装置を例として説明する。
【００２９】
図１で車載オーディオ自動測定装置１は信号自動計測部１０とデータ処理・制御部２０から構成されており、データ処理部２０は信号自動計測部１０に制御信号及び試験データを与え、信号自動計測部１０はデータ処理・制御部２０からの制御信号及び試験データに基づいて生成した各種試験信号を被測定物３０に入力し、被測定物３０からの出力信号を測定して測定値をデータ処理・制御部２０に出力する。データ処理部２０は測定結果を処理し、所定のデータ構成で保存記憶部２５（保存メモリ）に記憶する。また、データ処理・制御部２０は図６に示すように通信ネットワークを介して外部車載オーディオ自動測定装置Ｂ１〜Ｂｎと測定データを共用することができる。
【００３０】
（信号自動計測部）
信号自動計測部１０は被測定物（この例ではカーオーディオ）に測定項目、測定条件、規格によって異なる各種試験信号を与える試験信号発生器１１と、試験信号発生器１１からの試験信号を基に被測定物のアンテナに与える信号を生成するアンテナダミー（以下、ＡＮＴダミー）１２と、試験信号を入力した被測定物３０から出力される各種出力信号を信号測定器１４を構成する各測定器で測定可能な信号形式に変換するインターフェイス１３と、インターフェイス１３からの信号から計測値を得て表示等を行なうと共にデータ処理・制御部２０に測定結果を送出する信号測定器１４からなっている。また、図示していないが、試験信号発生器１０はその他の測定器（例えば、安定化電源器、オシロスコープ等）を備えるようにしてもよい。
【００３１】
また、試験信号発生器１１は、実施例では、標準信号発生器（ＳＳＧ）３台、ステレオ変調器２台、オーディオ信号発生器２台等の信号発生器を備え、データ処理・制御部２０からの試験パラメータ（試験用数値データ）に基づいて試験信号を被測定物に与える。この場合、ラジオ系の試験データの場合には試験信号発生器１１からの試験信号をダミーＡＮＴ１２を介して被測定物３０のアンテナに与える。また、オーディオ系の試験の場合には試験信号発生器１１は被測定物３０の外部入力端子から試験信号を入力する。
また、信号測定器１４は、実施例では、オーディオアナライザー２台、ノイズメータ１台を備え、インターフェイス１３の出力を測定し、測定結果をデジタルデータ化してデータ処理・制御部２０に送出する。
【００３２】
（データ処理・制御部）
データ処理・制御部２０は、例えば、パーソナルコンピュータ（以下、パソコン）等のコンピュータ装置からなり、制御部２１、操作部２３、表示部２４、保存記憶部２５、印刷出力部２６を備えている。また、通信制御部２２及び通信インターフェイス２７を備えるようにすることが望ましい。また、コンパクトディスク（ＣＤ）、フロッピーディスク（ＦＤ）等のリムーバブルな記憶媒体を着脱可能に構成した第２の保存記憶部２５’を設けるようにしてもよい。
【００３３】
制御部２１は図示していないがＣＰＵ、ＲＯＭ、ＲＡＭ及びそれらの周辺回路から構成され、データ処理・制御部２０全体の動作をＯＳにより制御すると共に、本発明の自動測定処理・制御用プログラムにより信号自動計測部１０への制御信号及び試験データの送出、信号自動計測部１０からの自動測定結果の取込み等のタイミング制御を行なう。
【００３４】
また、制御部２１は操作部２３を介した担当者の指示に基づき本発明の測定処理・制御用プログラムの実行制御を行い、後述するように、処理メニュー画面、納入先、仕向地、バンド別の測定項目、測定条件、規格等の一覧表示画面、測定結果評価画面等の各種画面を所定のフォーマットで表示部２４に表示すると共にそれら画面へのデータ（メニューデータ、納入先名、仕向地名、測定項目名、測定条件（値）、規格（値）等）の表示を行ない、メニュー選択、仕向け先選択等、担当者の選択操作や調整値入力操作に基づく制御信号及び試験信号生成用の試験データを信号自動計測部１０（試験信号発生器１１）に送出する。
【００３５】
制御部２１は、また、信号自動計測部１０（信号測定器１４）から送出された測定値を取込んで、評価を行なうと共にそれら測定結果を編集して表示部２４に表示される測定結果や評価画面等の出力画面上に表示すると共に、必要に応じて測定結果や評価結果を保存記憶部２５に保存記憶する。
【００３６】
操作部２３はキーボード等のキー及びマウス等のポインティングデバイスを備えている。担当者は画面上に表示されるボタンをマウス（又は、キー）操作によりクリック（又はポイント）して、選択入力や調整（変更）データ入力等を行なうことができる。担当者によりキー又はマウスの操作が行なわれると入力信号が制御部２１に送出される。
【００３７】
表示部２４は液晶ディスプレイ等の表示画面及びＶＲＡＭ等の表示メモリを備え、制御部２１の制御下で所定のフォーマットの画面やアイコンを表示すると共に、転送されたデータをイメージ（文字、図形、画像）化して画面の表示ゾーンに表示する。
【００３８】
保存記憶部２５は磁気ディスク、光ディスク等のリムーバブルな保存メモリからなり、ＯＳ（実施例ではWindows（マイクロソフト社の登録商標）を用いているがこれに限定されない）、画面表示プログラム、パラメータ生成プログラム、測定結果評価プログラム、編集プログラム、測定結果表示プログラム等、本発明の自動測定プログラム群や補助プログラム群を保存記憶する。
【００３９】
また、保存記憶部２５は自動測定装置１は測定結果や評価値と、複数の条件ファイル及び各名称ファイル等を制御部２１の制御下で保存記憶する。
【００４０】
保存記憶部２５’はコンパクトディスク（ＣＤ）、フロッピーディスク（ＦＤ）等のリムーバブルな記憶媒体を着脱可能に構成されている。
保存記憶部２５’は保存記憶部２５に保存記憶された条件ファイルや測定データ或いは評価データを制御部２１の制御下でコピーすることができる。保存記憶部２５’は保存記憶部２５に保存記憶された条件ファイルや測定データ或いは評価データがコピーされたＣＤ又はＦＤ等の記録媒体はセーブ（ＳＡＶＥ）用として保存するか又は他の装置に装着されて利用することができる。
また、ＣＤ又はＦＤに本発明の測定処理・制御用プログラム群、画面フォーマット、標準条件ファイル、定数等を記録しておき車載オーディオ自動測定装置１のインストール時に保存記憶部２５’に装着し、ＯＳの下でインストール（保存記憶部２５に保存記憶）することもできる。また、測定処理・制御用プログラム群の全面改定時や部分改定時（いわゆるバージョンアップ時）にも更新の必要な部分（モジュール、画面フォーマット、或いは定数等）をＣＤ又はＦＤに記録しておき、保存記憶部２５に保存記憶されている測定処理・制御用プログラム群の全部又は一部の更新を行うことができる（画面フォーマットが各画面表示プログラム内に記述されている場合には本実施例では測定処理・制御用プログラム群を構成する「プログラム」とする）。
【００４１】
また、保存記録部２５には測定データ及び評価データ（或いは、条件ファイル、測定データ及び評価データ）を保存記憶し、プログラムの読み出しは保存記憶部２５’から行うようにしてもよい（つまり、ＣＤ又はＦＤに記録されたＯＳと、本発明の測定処理・制御用プログラム群、画面フォーマット（標準条件ファイル）、定数等））を用いてデータ処理及び測定制御を行うようにしてもよい。
【００４２】
保存記憶部２５’は保存記憶部２５に保存記憶された条件ファイルや測定データ或いは評価データを制御部２１の制御下でＲＡＭから直接保存記憶部２５に測定データ或いは評価データを制御部２１の制御下でコピーすることができる。
【００４３】
印刷出力部２６はプリンタやプロッタ等のデータ印刷出力装置からなり、編集された測定データや評価結果を所定のフォーマットで印刷出力する。
【００４４】
また、通信制御部２２はネットワークとのプロトコルを確立し、通信インターフェイス２７及びネットワーク（及び管理装置（後述））を介して他の自動測定装置で得た測定データや評価値の授受制御を行なうことができる。
【００４５】
なお、フロッピーディスク（ＦＤ）等のリムーバブルな記憶媒体を着脱可能に構成した第２の保存記憶部２５’を設けた場合には測定データや評価値を記憶した記憶媒体をバックアップ用として保存することができるほか、自動測定装置１と同じ構成及び機能の他の自動測定装置に装着することにより自動測定装置間でのデータの利用を行なうことができる。
【００４６】
（被測定物）
被測定物３０はオーディオ機器等の電子機器であり、実施例ではラジオ（ＭＷ（ＡＭ）、ＳＷ、ＬＷ、ＦＭ、ＷＢ（ウエザーバンド、北米のみ））、オーディオ調節器、ＣＤ、ＭＤのいずれかを搭載している車載用オーディオ機器を被測定物としている。試験時には、ラジオ系はダミーＡＮＴ１２からの試験信号をアンテナから入力し、オーディオ系は試験信号発生器１１から試験信号を入力し、ＣＤ、ＭＤについては専用テストディスク（テストＤＩＳＣ４０）を挿入する。また、これら試験信号の入力による被測定物３０の動作結果（出力信号）はインターフェイス１３を介して信号測定器１４で測定される。
（テストＤＩＳＣ）
テストＤＩＳＣ４０にはＣＤ、ＭＤ各々の試験信号（オーディオ）信号が記憶されており、通常の記憶媒体としてのＣＤ、ＭＤと同様に被測定物３０に挿入される。テストＤＩＳＣ４０からの試験信号はＣＤ、ＭＤの場合はピックアップから入力されるオーディオ信号である。
【００４７】
[自動測定装置の基本的動作]
図２は自動測定装置１の基本的動作の一実施例を示すプロセスチャートである。なお、被測定物３０を車載オーディオ機器とした場合の下記プロセスＰ３〜Ｐ５での具体的動作（実施例）については図３〜図５のフローチャートで説明する。なお、実施例では以下の動作は制御部２１の制御下でＯＳの管理の基に実行される本発明の自動測定処理・制御用プログラムによって行われる。
【００４８】
プロセスＰ１：（自動計測システムの起動）
図２で自動測定装置１を起動すると制御部２１はＯＳ（実施例ではWindows）のログオンに続いて自動測定システム（処理プログラム群及び補助プログラム群からなっている）のうち選択設定プログラムを含む必要なプログラムを起動させ図７に示すようなメインメニュー画面７０を表示し、測定分類（納入先及び仕向地と、図７の例ではバンド（帯域））の選択／設定を担当者に促す。この際、起動されるプログラムは保存記憶部２５から取り出され制御部２１のＲＡＭに記憶される。なお、メインメニュー画面７０に表示する納入先、仕向値及びバンド（帯域）等の測定分類の名称は保存記憶部２５の名称ファイルに登録されており、メインメニュー画面７０の表示時に保存記憶ファイルから取り出されて表示される。なお、起動時にはセキュリティ保持のためレベル担当者名、識別番号、パスワード等を入力する。
【００４９】
プロセスＰ２：（被測定物の接続）
担当者は被測定物３０を信号自動計測部１０と接続する。なお、試作設計段階で同一の被測定物に異なる試験を施すような場合にはこのプロセスを上記プロセスＰ１の前段で行なうようにしてもよい。また、自動測定装置１を製造ラインでの製品検査に用いる場合には、ライン上の被測定物３０と信号自動計測部１０との接続を自動化することもできる。
【００５０】
プロセスＰ３：（初期条件設定等）
担当者が、図７のメインメニュー画面７０で納入先及び仕向地と納入先及び仕向地毎に決まっている分類項目７３（図７の例ではバンド）を選択し、画面切り替え操作（図７の例では測定ボタン７４のポイント（指定操作））を行なうと図８に示すような初期設定画面８０が表示される。
担当者が測定情報入力欄８３に機種等の測定情報を入力すると条件ファイルが自動選択される。また、この際、条件ファイルを検索して図９に示すような条件ファイル一覧画面９０を表示し、必要な条件ファイルを選択することもできる。
なお、被測定物３０の初期条件等が条件ファイルに未登録の場合には担当者は切り替え操作（この例では「設定変更」ボタン８９Ｂのポイント）により初期条件変更登録のためＰ５に移行する。
【００５１】
次に、担当者は初期設定画面８０に表示されている試験選択項目（測定項目および試験項目）を選択する。
なお、条件ファイルは測定分類項目（納入先、仕向地、バンド等）の組み合わせによって測定条件、測定項目、規格値が異なるので、その組み合わせに対応させて適合するデフォルトファイル（納入先基準仕様のデフォルト値（初期値）を登録したファイル）であり、測定分類項目の組み合わせのうちの有効な組み合わせの数のマスター条件ファイル（基準値条件ファイル）と、試験によって取得された変更値を含む変更条件ファイルからなり、保存記憶部２５に保存記憶されている。
また、図７の例で、符号７１は納入先が表示される納入先表示欄、符号７２は仕向先表示欄７２、符号７３はバンド（帯域）表示欄であり、バンド表示欄７３は被測定物３０がオーディオ機器のように受信装置を備えた電子機器以外の電子機器の場合にはその電子機器用の項目がこの例とは異なったフォーマットで表示される。
【００５２】
プロセスＰ４：（自動測定）
上記プロセスＰ３による初期設定が終わると、データ処理・制御部２０から制御信号（試験開始信号）が信号自動計測部１０に送出されると共に、測定項目毎に各試験項目について条件ファイル（マスター条件ファイル（プロセスＰ３）又は変更条件ファイル（プロセスＰ５））によって与えられた設定値（調整値入力がある場合には調整値によって変更された値）がデータ処理・制御部２０から試験データとして試験信号発生器１１に与えられる。
また、試験信号発生器１１は、前述したように、データ処理・制御部２０からの試験データ（試験用数値データ）に基づいて試験信号を被測定物３０に与える。この場合、ラジオ系の試験の場合には試験信号発生器１１からの試験信号をダミーＡＮＴ１２を介して被測定物３０のアンテナに与える。また、オーディオ系の試験の場合には試験信号発生器１１は被測定物３０の外部入力端子から試験信号を入力する。なお、ＣＤ、ＭＤについては担当者がテストＤＩＳＣ４０を被測定物３０に挿入する。
【００５３】
試験信号等を入力された被測定物３０からの出力信号はインターフェイス１３を介して信号測定器１４に入力され個々の試験項目ごとに測定が行なわれ測定結果（デジタルデータ）がデータ処理・制御部２０に送出される。また、この際、入・出力波形をオシロスコープ等のアナログ波形表示装置に表示するようにしてもよい。
【００５４】
制御部２１は、図１０（又は図１１）に示すような試験結果表示画面１００、（又は、１１０）を表示し、信号自動計測部１０（信号測定器１４）からの測定データを表示する（図１１は測定結果をグラフ表示する場合の表示例である）。
【００５５】
担当者は、自ら設定条件を変えて試験を行う場合や、試験結果表示画面１００（又は１１０）の表示を見て設定条件を変更する必要がある場合には画面切り替え操作（この例では「キャンセル」ボタン１０９のクリック）を行なう。また、自動測定が終了するとＰ６に移行する。
【００５６】
プロセスＰ５：（設定条件変更登録等）
上記プロセスＰ３で初期条件等が条件ファイルに未登録の場合又は上記プロセスＰ４で設定変更を要するとして画面切り替え操作が行なわれると、制御部２１は図１２に示すような試験条件登録画面１２０を表示する。
【００５７】
担当者は試験条件の初期を新規登録又は変更する場合には試験条件登録画面１２０を用いて試験条件を入力し、規格値を新規登録又は変更する場合には図１３に示すような規格値登録画面１３０を用いて規格値を入力し、測定条件の初期値を新規登録又は変更する場合には図１４に示すような測定条件登録画面１４０を用いて測定条件を入力し、その他の設定値を新規登録又は変更する場合には図１５に示すようなその他設定値登録画面１５０を用いてその他の設定値を入力する。また、変更条件ファイルやマスター条件ファイルを作成する場合に必要なファイル名称の登録等は図９に示した条件ファイル一覧画面９０で行なうことができる。
【００５８】
また、試験条件の初期値、規格値及び測定条件の初期値以外の設定値の変更登録操作が終了すると変更された値と前記条件ファイルに登録された各初期値を基にして前記条件ファイルとは別に新たに条件ファイルを生成し、保存記憶部２５（２５’）に保存記憶する。また、試験条件の初期値、規格値及び測定条件の初期値以外の設定値の新規入力設定がなされた場合にはマスター条件ファイルが生成され、保存記憶部２５（２５’）に記憶される。
【００５９】
また、これら設定値の変更登録操作が終了するとプロセスＰ４に戻って変更された設定値による自動測定が開始される。このような動作を設定された測定項目毎に各測定項目中設定された各試験項目について行ない、登録された全ての測定項目について試験（測定）が終了するとＰ６に移行する。
【００６０】
プロセスＰ６：（測定結果の表示、保存、印刷出力等）
上記プロセスＰ５で設定値が変更された場合には変更条件ファイルが作成され、保存記憶部２５に記憶される。この際、既存の条件ファイル（マスター条件ファイル及びこれ以前に作成された変更条件ファイル）との比較を行ない今回変更された設定値を図１６に示すような変更確認画面１６０に表示して確認することができる。
また、制御部２１は被測定物３０ごとに設定された各測定項目の試験項目毎に測定値（確定値）を保存記憶部２５に保存記憶する。また、図１７に示すような測定結果一覧画面１７０を表示して測定結果の検索や編集表示を行なったり、測定結果を編集プログラムを用いて編集し印刷出力することができる。
【００６１】
上記構成により、表示された画面の切り替え操作及び表示内容の選択設定を行なうだけで納入先、仕向地等の測定分類毎に被測定物に係わる複数の試験データを生成、試験パラメータに基づく試験信号により被測定物の測定を行なうことができるので、従来、測定時に担当者による手動操作で行なわれていた試験データの設定入力に比べ、設定時間が２分の１以下になった。しかも、パラメータ値の読み誤り等の入力ミスが低下し、また、熟練者でなくても簡単に操作を行なうことができるようになった。
また、測定結果を見ながら画面上で設定値を変更し、その変更値で測定を繰り返すことができるので、試作段階や品質検査時の試験の際に簡単な操作で設定値を変えて試験を繰り返すことができ、開発試験の効率が向上する。
【００６２】
[自動測定装置の具体的動作例]
図３〜図５は被測定物３０を車載オーディオ機器とした場合の前記プロセスＰ３〜Ｐ５（図２）での具体的動作を示すフローチャートであり、図３は初期条件選択設定時の制御部２１の動作例を示すフローチャート、図４は自動計測時の制御部２１及び信号自動計測部１０の動作例を示すフローチャート、図５は設定条件変更登録時の制御部２１の動作例を示すフローチャートである。
【００６３】
１．初期条件選択設定時（Ｐ３）の動作例
ステップＳ１：（測定分類の選択）
図３で、担当者はメインメニュー７０の納入先７１及び仕向地７２と納入先及び仕向地７３のマトリックスに表示されているバンドを選択する（以下の説明では納入先「Ａ」が、仕向地「国内」、バンド「ＦＭ」が選択された場合を例として説明する）。
制御部２１は操作部２３からの信号を調べ、メインメニュー画面７０の「測定ボタン」がクリック（ポイント）された場合には、測定分類の選択が確認されたものとしてＳ２に遷移する。
【００６４】
ステップＳ２：（初期設定画面の表示）
制御部２１は図８に示すような初期設定画面８０を表示する。この際、測定分類表示欄８１には上記ステップＳ１で選択された測定分類名称（納入先「Ａ」、仕向地「国内」、バンド「ＦＭ」）が表示される。また、表示欄８２にはアンテナシステムと表示されバンド（この例ではＦＭ）規格値として実用感度タイプの選択欄および標準タイプ（この例ではタイプ「Ａ」）が表示される。
【００６５】
ステップＳ３：（バンド規格値の選択等）
バンド規格値（この例ではＦＭ規格値）を選択する場合には、実用感度タイプの選択欄のタイプ「Ａ」〜「Ｂ」のいずれかをマウス操作等で選択し、選択しない場合にはＳ４に移行する。
ステップＳ４：（測定情報入力）
制御部２１は測定情報入力欄８３への機種名、試作段階、シリアル番号、ロット番号、コメント、測定担当者等の測定情報の入力を促し、それらが入力されると測定情報入力欄８３に表示すると共に、ＲＡＭにそれらを保持する。
【００６６】
ステップＳ５：（条件ファイルの有無判定）
制御部２１は選択された測定分類を基に保存記憶部２５をサーチし、対応する条件ファイルのうちマスター条件ファイルを条件ファイル候補として表示欄８４に表示する。条件ファイルがマスタファイルでよい場合には担当者の確認入力（例えば、マウスの右クリック操作）によりＳ６に遷移する。また、条件ファイル（マスター条件ファイル）がない場合には条件ファイルの新規登録（マスター条件ファイルの作成）を行なうためにＰ５に遷移する。
【００６７】
ステップＳ６：（条件ファイルの検索及び選択等）
制御部２１は操作部２３からの信号を調べ、検索ボタン８５がクリックされるとＳ７に遷移し、図９に示すような条件ファイル一覧画面９０を表示すると共に、保存記憶部２５に記憶されている各条件ファイルをサーチし、検索結果を選択画面一覧画面９０に表示する。
なお、表示された条件ファイルが適当でない場合には、担当者が条件ファイル一覧画面９０の測定分類欄９１〜９３に表示された納入先、仕向地、バンド等の検索条件を変えながら「検索」ボタン９４をクリックするとサーチが繰り返され、検索条件に一致した条件ファイルが一覧表示される。
また、担当者が条件ファイル一覧画面９０に表示された条件ファイル名をクリックしてから「選択」ボタン９５をクリックするとその条件ファイルが選択され、Ｓ８に遷移する。また、「削除」ボタン９６をクリックするとその条件ファイルが保存記憶部２５から削除される。また、「閉じる」ボタン９７をクリックすると、初期設定画面８０に戻る。
なお、図８の例では初期設定画面８０の一部に条件一覧ファイル画面９０が重畳表示されているが、このような表示方法に限定されない（例えば、図８の初期設定画面８０とは別に図９の条件ファイル一覧画面９０を表示してもよい）。
【００６８】
ステップＳ８：（試験選択（１）；測定項目の選択）
上記ステップＳ７で「選択」ボタン９５がクリックされると、制御部２１は初期設定画面８０の測定分類欄８１に表示された測定分類（又は、条件ファイル一覧画面９０で選択された測定分類）に対応する測定項目群とカーソルを測定項目選択欄８６に表示して担当者に試験の選択を促す。この例（測定分類が、納入先（メーカー「Ａ」、仕向地「国内」、バンド「ＦＭ」の場合）では、測定項目として「ＩＮＳＰＥＣＴＯＮ」、「ＰＥＲＦＯＲＭＡＮＣＥ」、「ＣＲＯＳＳ  ＭＯＤＵＬＡＴＩＯＮ」、「２信号抑圧・混信」、「メーカーデータフォーマット」が表示されている。担当者が必要な測定項目上に順次カーソルを移動させ、確認クリック（ポイント）を行なうとＳ９に遷移する。なお、測定項目選択欄８６の下欄８６に示されているボタン「ＡＬＬＯＮ」をクリックした場合は全項目選択を意味し、「ＡＬＬＯＦＦ」ボタンをクリックした場合は全項目未選択を意味する（以下、同様）。
【００６９】
ステップＳ９：（試験選択（２）；試験項目の選択）
制御部２１は上記ステップＳ８で選択した測定項目に対応する複数の試験項目を試験項目表示欄８７に表示して担当者に選択を促す。この例では試験項目として、「最高感度」、「実用感度」、「映像妨害比」、・・・・「Ｓ／Ｎ比」、「レベル差」、「ノイズ収束点」等が表示されている。担当者が上記ステップＳ８で選択された測定項目毎に表示される必要な試験項目上にカーソルを移動させて試験項目を選択することができる。確認クリック後、担当者が「測定開始」ボタン８９ＡをクリックするとＰ４（自動測定プロセス）に遷移し、確認クリックにかかわりなく「設定変更」ボタン８９ＢをクリックするとＰ５（設定条件変更登録プロセス）に遷移し、「閉じる」ボタン８９ＣをクリックするとＳ１に戻る。
【００７０】
２．自動計測時（Ｐ４）の動作例
ステップＴ１：（試験パラメータの生成）
図４で、制御部２１は上記プロセスＰ３のステップＳ８で選択された測定項目毎に同ステップＳ９で選択された試験項目内容（測定分類毎に選択された条件ファイルから試験項目に対応するアドレスに格納されている試験データ（値））を取り出して対応させた試験パラメータ群（各試験パラメータに試験信号発生器１１を構成するモジュールのうち試験項目に対応する試験信号を生成するモジュール（例えば、ＳＳＧ、ステレオ変調器、オーディオ信号発生器）のアドレス（試験信号生成モジュールアドレス）及び試験条件（値）、ＡＮＴ入力の可否判別コードが含まれている）をＲＡＭ上に生成する。
【００７１】
ステップＴ２：（測定状態表示画面の表示、設定事項等の確認）
制御部２１は、図１０に示すような測定状態表示画面１００を表示し、プロセスＰ３で選択・設定された測定分類名称（納入先、仕向地、バンド）を表示欄１０１に表示し、現在の測定状態（この例では、測定周波数、変調度、入力レベル、ＡＭ変調度）を表示欄１０２に表示する。また、プロセスＰ３で条件ファイル名及びコメントを表示欄１０３に表示する。また、自動停止感度等を測定する場合にはマウス操作により変更変調度入力欄１０５からＳＳＧの電解強度の変更入力を行なうことができる。
【００７２】
担当者がこれらの表示を確認し、設定もれや選択ミス等を発見した場合には「キャンセル（ＣＡＮＣＥＬ）」ボタン１０９をクリックすると制御部２１はプロセスＰ３に戻って初期設定画面８０を表示し、Ｐ３のステップＳ１以降の動作の実行制御を行なう。
【００７３】
ステップＴ３：（測定方法の選択）
ここで、担当者は今回の測定項目中の全試験項目の測定を全部自動的に行なうか１項目ごとに自動的に行なうかを選択できる。つまり、表示部２４に表示されている測定状態表示画面１００上の「ＡＵＴＯ」ボタン１０６をクリックするとＴ４に遷移して全自動測定を行ない、「ＦＡＩＬ  ＳＴＯＰ」ボタン１０７をクリックするとＴ９に遷移して１項目ごとの測定を行なう。なお、測定方法の指定をステップＴ２とＴ４の間（すなわち、Ｔ３）ではなく、ステップＴ４とＴ５の間又はステップＴ５とＴ６の間で行なうようにしてもよい。
【００７４】
ステップＴ４：（試験データ等の送出）
制御部２１は制御信号（試験開始信号）と１測定項目を１グループとした試験条件（値）を順次（所定時間間隔で）試験信号発生器１１に送出する。この際、制御部２１は試験パラメータの試験信号生成モジュールアドレスを宛て先として試験データ（条件値）を送出する。
【００７５】
ステップＴ５：（試験信号の生成及び被測定物への入力）
試験信号発生器１１はデータ処理・制御部２０からの試験データに基づいて今回の測定項目の全試験項目分の試験信号を順次生成して被測定物に入力する。この場合、ラジオ系の試験項目の場合には試験信号発生器１１からの試験信号をダミーＡＮＴ１２を介して被測定物３０のアンテナに与入力する。また、オーディオ系の試験項目の場合には試験信号発生器１１は被測定物３０の外部入力端子から試験信号を入力する。
【００７６】
ステップＴ６：（測定）
信号測定器１４は被測定物３０からの出力信号をインターフェイス１３を介して入力し、順次測定を行なう。制御部２１は信号測定器１４の出力（測定値）及び判定値、規格値、測定（試験）データ、入力データ等を機種、シリアル番号、ロット番号、測定分類、測定項目、試験項目別に分類してＲＡＭ（又は保存記憶部２７）に一次記憶する。
【００７７】
ステップＴ７：（測定状態の表示）
制御部２１は今回の測定項目名称及び現在測定中の試験項目名称を測定状態表示画面１００の表示欄１０１の表示位置に表示すると共に、測定中の試験項目の測定状態を示す値（規格値、測定値、判定値、測定（試験）データ、入力データ）を表示欄１０４Ｂに順次表示する。なお、測定状態がグラフ表示される場合にはグラフ表示欄１０４Ａに表示される。また、表示欄１０４Ｃに操作指示用のメッセージを表示することができる。
【００７８】
ステップＴ８：（試験項目終了判定）
制御部２１は今回の測定項目中の試験項目の測定が全て終わったかを調べ、終った場合はＴ１４に遷移し、そうでない場合は試験項目の測定が終わるまでＴ６、Ｔ７を繰り返す。
【００７９】
ステップＴ９：（試験パラメータ等の送出）
制御部２１は制御信号（試験開始信号）と１測定項目を１グループとした試験条件（値）を試験信号発生器１１に送出する。この際、制御部２１は試験パラメータの試験信号生成モジュールアドレスを宛て先として試験条件（値）を送出する。
【００８０】
ステップＴ１０：（試験信号の生成及び被測定物への入力）
試験信号発生器１１はデータ処理・制御部２０からの試験条件（値）に基づいて今回の測定項目のうちの一つの試験項目分の試験信号を生成して被測定物に入力する。この場合、ラジオ系の試験項目の場合には試験信号発生器１１からの試験信号をダミーＡＮＴ１２を介して被測定物３０のアンテナに与入力する。また、オーディオ系の試験項目の場合には試験信号発生器１１は被測定物３０の外部入力端子から試験信号を入力する。
【００８１】
ステップＴ１１：（測定）
信号測定器１４は被測定物３０からの出力信号をインターフェイス１３を介して入力し、測定を行なう。制御部２１は信号測定器１４の出力（測定値）及び判定値、規格値、測定（試験）データ、入力データ等を機種（シリアル番号）、測定分類、測定項目、試験項目別に分類してＲＡＭ（又は保存記憶部２５）に一次記憶する。
【００８２】
ステップＴ１２：（試験結果（測定中）の表示（２））
制御部２１は今回の測定項目名称及び現在測定中の試験項目名称を測定状態表示画面１００の表示欄１０１の表示位置に表示すると共に、測定中の試験項目の測定状態を示す値（規格値、測定値、判定値、測定（試験）データ、入力データ）を表示欄１０４Ｂに表示する。なお、測定状態がグラフ表示される場合にはグラフ表示欄１０４Ａに表示される。また、表示欄１０４Ｃに操作指示用のメッセージを表示することができる。
【００８３】
ステップＴ１３：（試験項目終了判定）
制御部２１は今回の測定項目中の試験項目の測定が全て終わったかを調べ、終った場合はＴ１４に遷移し、そうでない場合はＴ３に戻る。
【００８４】
ステップＴ１４：（測定終了判定）
制御部２１は選択された全ての測定項目の測定が終了したか否かを調べ、終了した場合にはプロセスＰ６に遷移し、そうでない場合は次の測定項目の試験を行なうためにＴ２に戻る。
【００８５】
３．設定条件変更登録時（Ｐ５）の動作例
ステップＵ１：（試験条件登録画面表示）
図３のプロセスＰ３のステップＳ５で新規登録必要とされた場合、又はＳ９で「設定変更」ボタン８９Ｂがクリックされた場合は、制御部２１は図１２に示すような試験条件登録画面１２０を表示し、担当者に、先ずＰ３で設定した基本事項の確認を促す。
【００８６】
ステップＵ２：（基本事項の確認）
担当者は基本項目表示欄１２１に表示された基本事項（機種名、条件ファイル名、メーカー（納入先）、仕向地、バンド、試作段階、シリアル番号、ロット番号、コメント、作成者）を確認する。制御部２１は操作部２３からの信号を調べ、「閉じる」ボタン１２９のクリックを検出した場合にはやり直しのため初期設定画面８０を表示してプロセスＰ３に移行する。
【００８７】
ステップＵ３：（登録（設定）内容の選択）
担当者は試験条件以外データの登録・設定を行ないたい場合には試験条件登録画面１２０上の「規格値一覧」ボタン１２３Ａ、「測定条件」ボタン１２３Ｂ、「その他」ボタン１２３Ｃのいずれかをクリックする。制御部２１は操作部２３からの信号を調べ、「規格値一覧」ボタン１２３Ａがクリックされた場合にはＵ５に遷移し、「測定条件」ボタン１２３Ｂがクリックされた場合にはＵ６に遷移し、「その他」ボタン１２３Ｃがクリックされた場合にはＵ７に遷移する。また、これらのボタンが押されていない場合にはＵ４に遷移する。
【００８８】
ステップＵ４：（試験条件データ選択・入力）
制御部２１は条件データ入力エリア１２４、１２５に表示されている測定項目及び試験項目に係わる測定条件の初期値データの選択又は設定入力を行なうことができる。
すなわち、測定項目については測定項目表示欄に表示されている測定項目の選択及び測定周波数ｆ１〜ｆ６の設定入力を行なうことができる（条件データ入力エリア１２４）。また、試験項目については試験項目表示欄に表示されている試験項目の選択及び試験条件（この例では、測定周波数、変調度及び試験項目によって異なる試験条件）の初期値の設定入力を行なうことができる（条件データ入力エリア１２５）。なお、条件データ入力エリア１２５の入力フォーマットは測定項目と試験項目の組み合わせによって変化する（異なったフォーマットで表示される）。また、必要な規格データの選択又は入力設定が終わり、担当者が「データ新規保存ボタン」１２６、「更新」ボタン１２７、「条件比較」ボタン１２８、「閉じる」ボタン１２９のいずれかをクリックするとＵ８に遷移する。
【００８９】
ステップＵ５：（規格値登録画面表示、規格値データ選択・入力）
制御部２１は、図１３に示すような規格値登録画面１３０を表示する。担当者は規格値登録画面１３０に一覧表示されている各規格項目（例えば、受信周波数範囲、中間周波数、・・・、ノイズ収束点、キャプチャレシオ等）について４種類の規格範囲設定を行なうことができる。また、必要な規格データの選択又は入力設定が終わり、担当者が「データ新規保存ボタン」１３６、「更新」ボタン１３７、「条件比較」ボタン１３８、「閉じる」ボタン１３９のいずれかをクリックするとＵ８に遷移する。
【００９０】
ステップＵ６：（測定条件設定画面表示、測定条件データ選択・入力）
制御部２１は、図１４に示すような測定条件設定画面１４０を表示する。担当者は測定条件設定画面１４０に表示されているラジオ系のハード的な測定条件（電源電圧、ＡＮＴダミー、負荷抵抗、音量調節レベル）の選択又は入力設定を行なうことができる（図示の例では、ＡＮＴダミーについては５０Ω、７５Ω、８ｐＦ、２信号、３信号から選択でき、負荷抵抗のうち出力負荷については２、４、８、ＯＰＥＮから選択でき、ＡＵＸ負荷については３００、１０ＫＯＰＥＮから選択できる）。また、必要な測定条件の初期値データの選択又は入力設定が終わり、担当者が「データ新規保存ボタン」１４６、「更新」ボタン１４７、「条件比較」ボタン１４８、「閉じる」ボタン１４９のいずれかをクリックするとＵ８に遷移する。
【００９１】
ステップＵ７：（その他条件設定画面表示、データ選択・入力）
制御部２１は、図１５に示すようなその他の条件設定画面１５０を表示する。
担当者はその他の条件設定画面１５０に表示されている条件、例えば、測定動作条件（判定方法、許容範囲、アジャスト、スリープタイム等）の選択又は入力設定やオーディオアナライザーのフィルター（ＬＰＦ、ＨＰＦ、ＰＳＯＰＨＯ等）の選択設定を行なうことができる。また、必要な規格データの選択又は入力設定が終わり、担当者が「データ新規保存ボタン」１５６、「更新」ボタン１５７、「条件比較」ボタン１５８、「閉じる」ボタン１５９のいずれかをクリックするとＵ８に遷移する。
【００９２】
ステップＵ８：（データ選択・入力後の処理選択）
制御部２１は操作部２３からの信号を調べ、「データ新規保存ボタン」１２６、１３６、１４６、１５６のいずれかがクリックされた場合にはＵ９に遷移し、「更新」ボタン１２７、１３７、１４７、１５７のいずれかがクリックされた場合にはＵ１０に遷移し、「条件比較」ボタン１２８、１３８、１４８、１５８のいずれかがクリックされた場合にはＵ１１に遷移し、「閉じる」ボタン１２９、１３９、１４９、１５９のいずれかがクリックされた場合には初期設定画面８０を表示してＰ３に遷移する。
【００９３】
ステップＵ９：（新規保存処理）
制御部２１は図９に示したような条件ファイル一覧画面９０を表示し、新規登録条件ファイル及び変更によって新に生成する条件ファイルについて、新規条件ファイル名称の入力を促す。
担当者による確認入力があると、新規登録ファイルに付いては、測定分類及び測定データと上記ステップＵ４〜Ｕ７で新規設定された試験条件の初期値データ、設定値データ、測定条件の初期値データ、その他の設定値データから１つのマスター条件ファイル（新規入力された名称をファイル名とする条件ファイル）を生成し、保存記憶部２５（２５’）に保存記憶し、Ｕ３に遷移する。
また、既に登録されている条件ファイルに格納されている初期値の一部又は全部を変更して新たな変更条件ファイルを作成する場合には既に設定されている条件ファイルをコピーして新規入力した名称と変更データを上書きして１つのデータファイル（新規入力された名称をファイル名とする条件ファイル）を生成し、保存記憶部２５（２５’）に保存記憶し、Ｕ３に遷移する。
【００９４】
ステップＵ１０：（データ更新処理）
登録データの更新はシステム管理者のみが行なえるので、制御部２１は起動時に入力された担当者名や識別コードからセキュリティレベルを判定し、システム管理者でない場合には「データの更新はできない」旨のメッセージを表示してＵ３に遷移する。
担当者がシステム管理者の場合には制御部２１は図９に示したような条件ファイル一覧画面９０を表示する。担当者がすでに登録されている更新条件ファイルを選択し、確認入力を行なうと、測定分類及び測定情報と上記ステップＵ４〜Ｕ７で新規設定された試験条件データ、設定値データ、測定条件データ、その他条件データのうち更新されたデータを選択された更新条件ファイルの該当項目に上書きして更新し、保存記憶部２５（２５’）に保存記憶し、Ｕ３に遷移する。なお、条件ファイルのうちマスター条件ファイルは更新することができない。
【００９５】
ステップＵ１１：（変更事項確認処理）
制御部２１は、図１６に示すような変更確認画面を表示して新規登録（又は変更により新規登録）された条件ファイル（比較元１６１）と既存のファイル（比較先１６２（例えば、マスター条件ファイル））との比較を行なう。この場合、試験条件登録画面で表示された内容が対照表示される。
担当者が「印刷」ボタン１６５をクリックすると比較元１６１および比較先の条件ファイル名称と内容が印刷出力され、「閉じる」ボタンをクリックするとＵ３に遷移する。
【００９６】
図１７は計測結果一覧画面の一実施例を示し、計測結果一覧画面１７０は検索条件を表示する検索条件表示欄１７１、選択操作により測定分類及び測定項目別に計測結果を検索する「検索」ボタン１７２、検索結果表示欄１７３、検索結果表示欄１７３に表示された検索結果の中からマウスによるクリックで選択した測定結果をプレビュー表示する「プレビュー」ボタン１７４、選択された測定結果を編集表示する「編集」ボタン１７５、選択したデータを削除する『削除」ボタン１７６及びクリックするとメインメニュー画面７０に戻る「閉じる」ボタン１７７を備えている。
【００９７】
[ネットワークシステム]
図６は本発明の自動測定装置（図１）やパソコン等のコンピュータ装置を端末としたネットワークシステムの構成例を示す図であり、ネットワークシステムはインターネット等の通信ネットワーク１８１に接続する管理装置Ａと端末としての自動測定装置Ｂ１、Ｂ２、・・Ｂ５、・・・Ｂｎ及び通信制御機能を備えたパソコン等の端末装置Ｃ１、・・・Ｃｍから構成されている（パソコン等のコンピュータ装置Ｃ１、・・・Ｃｍを接続しない構成としてもよい）。
【００９８】
管理装置Ａはデータベース１８２を備えたコンピュータ装置からなり、通信ネットワーク１８１を介して支配下の自動測定装置Ｂ１〜Ｂｎから送信される測定データ、条件データファイル、評価値等をデータベース１８２に格納し、自動測定装置Ｂ１〜Ｂｎのいずれかや、パソコン等の端末装置Ｃ１〜Ｃｍからデータ参照やデータ送信要求等のアクセスがあった場合にデータベース１８２に格納されているデータ参照の許可、不許可やデータ転送の許可・不許可等の制御及び通信制御を行なう。
また、管理装置Ａは独自のスケジュールで自動測定装置Ｂ１〜Ｂｎにデータ送信要求を出したり、自動測定装置Ｂ１〜Ｂｎのいずれかや、パソコン等のコンピュータ装置Ｃ１〜Ｃｍからデータ参照要求やデータ送信要求があった場合に自動測定装置Ｂ１〜Ｂｎ（問い合わせのあった装置を除く）にデータ送信要求を行なうこともできる。
なお、管理装置Ａを自動測定装置Ｂ１〜Ｂｎのいずれか一つと兼用するようにしてもよい。
【００９９】
自動測定装置Ｂ１〜Ｂｎは図１に示した本発明の自動測定装置１と同様の構成及び機能（測定制御動作及び測定動作）を有し、被測定物（電子機器）の測定（試験）を、測定結果及び評価結果等を保存記憶部（保存メモリ）２５に保存記憶する。また、自動測定装置Ｂ１〜Ｂｎは通信制御部２２の制御下で保存記憶したデータを通信インターフェイス２７及び通信ネットワーク１８１を介して管理装置Ａに送信したり、管理装置Ａから送信されるデータを受信する。また、管理装置Ａに対してデータ送信要求やデータ受信要求を出したり、管理装置Ａからのデータ送信要求を受信する。
【０１００】
パソコン等の端末装置Ｃ１〜Ｃｍは設計者が測定結果を参照したりダウンロードする場合に管理装置Ａにデータ参照要求やデータ送信要求を送ることができ、パソコン使用者のセキュリティレベルによって参照するデータの範囲やデータ送信要求送信の可否が決定される。
【０１０１】
また、管理装置Ａはデータベース１８２に記録した測定結果及びファイルの一覧情報を作成・更新してデータベース１８２に記録し、自動測定装置Ｂ１〜Ｂｎ又は端末装置Ｃ１〜Ｃｍはデータベース１８２に記録されている一覧情報を閲覧して、閲覧又はダウンロードする測定結果又はファイルを選択することができる。
【０１０２】
上記構成により、例えば、試作部門で行なった試作品の測定（試験）結果を通信ネットワーク１８１を介して管理装置Ａに送ってデータベース１８２に格納し、その測定結果を開発設計部門で利用し、品質評価部門での評価と付き合わせて改善を行なったり、生産部門に対する規格、試験条件等の統一化等を行なうことができる。また、海外の開発部門に対する支援や評価等も、本発明のネットワークシステムによる測定データの共用により実現することができる。
【０１０３】
また、上記実施例では自動測定装置１は信号自動計測部１０とデータ処理・制御部２０から構成される一体型装置として説明したが、自動測定装置１を電子機器からなる被測定物に試験信号発生手段から試験信号を与えて測定を行なう測定装置（信号自動計測部１０）とインターフェイスを介して接続可能なコンピュータ装置（例えば、パソコン）と接続した構成としてもよい。この場合、コンピュータ装置に本発明の自動測定処理・制御用プログラムをインストールすることにより、データ処理・制御部２０と同様の機能を果す（すなわち、図２のプロセスフローチャート及び図３〜図５のフローチャートに示したと同じ動作を行う）ことができる。
【０１０４】
以上、本発明のいくつかの一実施例について説明したが本発明は上記実施例に限定されるものではなく、種々の変形実施が可能であることはいうまでもない。
【０１０５】
【発明の効果】
上記説明したように、第１〜第３の発明のオーディオ機器自動測定装置及び、第７から第２２の発明のオーディオ機器自動測定用データ処理・制御装置によれば、表示された画面の切り替え操作及び表示内容の選択設定を行なうだけで納入先、仕向地等の測定分類毎に被測定物に係わる複数の試験データを生成、試験パラメータに基づく試験信号により被測定物の測定を行なうことができるので、従来、測定時に担当者による手動操作で行なわれていた試験データの設定入力に比べ、設定時間が２分の１以下になった。しかも、パラメータ値の読み誤り等の入力ミスが低下し、また、熟練者でなくても簡単に操作を行なうことができるようになった。
【０１０６】
また、第４〜第６の発明のネットワークシステムによれば、オーディオ機器自動測定装置で測定した測定データや評価結果、条件ファイル等を一元管理し、複数の自動測定器でリアルタイムに共用することができる。
【０１０７】
また、第１４〜第１８及び第２２、第２３の発明のオーディオ機器自動測定用データ処理・制御装置によれば、測定結果を見ながら画面上で設定値を変更し、その変更値で測定を繰り返すことができるので、試作段階や品質検査時の試験の際に簡単な操作で設定値を変えて試験を繰り返すことができ、開発試験の効率が更に向上する。
【０１０８】
また、第１９、第２０、第２２及び第２３の発明のオーディオ機器自動測定用データ処理・制御装置によれば、変更された値を試験用初期値とした条件ファイルを新たに登録できるので、試作段階等で登録された条件ファイルの試験用初期値を用いて測定を繰り返すことができ、その度に初期値を設定する手間がかからない。また、被測定物に適合した試験用初期値を登録した条件ファイルを別途記録媒体に記録し、他のオーディオ機器自動測定装置で用いるようにすることもできる。
【図面の簡単な説明】
【図１】本発明の自動測定装置の一実施例のハードウエア構成を示すブロック図である。
【図２】自動測定装置の基本的動作の一実施例を示すプロセスチャートである。
【図３】初期条件選択設定時の動作例を示すフローチャートである。
【図４】自動計測時の動作例を示すフローチャートである。
【図５】設定条件変更登録時の動作例を示すフローチャートである。
【図６】ネットワークシステムの一実施例の説明図である。
【図７】メインメニュー画面の一実施例を示す図である。
【図８】初期設定画面の一実施例を示す図である。
【図９】条件ファイル一覧画面の一実施例を示す図である。
【図１０】測定状態表示画面の一実施例を示す図である。
【図１１】測定状態表示画の一実施例を示す図である。
【図１２】試験条件登録画面の一実施例を示す図である。
【図１３】規格値登録画面の一実施例を示す図である。
【図１４】測定条件設定画面の一実施例を示す図である。
【図１５】その他の条件設定画面の一実施例を示す図である。
【図１６】変更確認画面の一実施例を示す図である。
【図１７】測定結果表示画面の一実施例を示す図である。
【符号の説明】
１  自動測定装置
１１  信号発生器
１２  アンテナダミー（アンテナ入力生成手段）
１４  信号測定器
２１  制御部（第１〜第８の表示制御手段、試験データ生成手段、測定タイミング制御手段、変更条件ファイル生成手段、条件ファイル生成手段、記憶制御手段、第１の記憶制御手段、第２の記憶制御手段）
２２  通信制御部（通信制御手段）
２４  表示部
２５，２５’  保存記憶部（保存記憶手段、第１の保存記憶手段、第２の保存記憶手段）
３０  被測定物
７０  メインメニュー画面（第２のフォーマット）
８０  初期設定画面（第１のフォーマット）
９０  条件ファイル一覧画面（第３のフォーマット）
１００、１１０  測定状態表示画面（第４のフォーマット）
１２０  試験条件登録画面（第５のフォーマット）
１３０  規格値登録画面（第６のフォーマット）
１４０  測定条件設定画面（第７のフォーマット）
１５０  その他の条件設定画面（第８のフォーマット）
１８０  ネットワークシステム
１８１  通信ネットワーク
１８２  データベース
Ａ      管理装置
Ｂ１〜Ｂｎ  自動測定装置
Ｃ１〜Ｃｍ  パソコン（端末装置）
【図１】
0004439046.tif 000002
【図２】
0004439046.tif 000003
【図３】
0004439046.tif 000004
【図４】
0004439046.tif 000005
【図５】
0004439046.tif 000006
【図６】
0004439046.tif 000007
【図７】
0004439046.tif 000008
【図８】
0004439046.tif 000009
【図９】
0004439046.tif 000010
【図１０】
0004439046.tif 000011
【図１１】
0004439046.tif 000012
【図１２】
0004439046.tif 000013
【図１３】
0004439046.tif 000014
【図１４】
0004439046.tif 000015
【図１５】
0004439046.tif 000016
【図１６】
0004439046.tif 000017
【図１７】
0004439046.tif 000018